【手続補正書】
【提出日】平成24年9月25日(2012.9.25)
【手続補正１】
【補正対象書類名】特許請求の範囲
【補正対象項目名】全文
【補正方法】変更
【補正の内容】
【特許請求の範囲】
【請求項１】
１次ユニットから分離可能な２次装置に電力を転送できる前記１次ユニット内の電力消費を低減するための方法であって、
物体によるインダクタンスの変化を検知するために前記１次ユニット内のブリッジを備えるセンス回路を使用して前記１次ユニット付近で物体の前記存在を検知するステップと、
前記１次ユニット付近での前記物体の存在の検知に応じて前記物体に電力パルスを送信するステップと、
前記物体への前記電力パルスの送信に応じて前記１次ユニット付近に有効な２次装置が存在するかどうかを決定するステップと、
有効な２次装置が存在しないという決定に応じて前記１次ユニットに供給される電力を制限するステップとを有する、方法。
【請求項２】
１次ユニットから分離可能な２次装置に電力を転送できる前記１次ユニット内の電力消費を低減するための方法であって、
前記１次ユニットに低電力パルスを印加するステップと、
前記１次ユニット内で前記１次ユニット付近の負荷を示す電力の取得があるかどうかを検知するステップと、
負荷を検知した場合に前記１次ユニットに前記低電力パルスより高レベルの電力を供給するステップと、
前記より高レベルの電力の前記供給に応じて前記１次ユニット付近に有効な２次装置が存在するかどうかを決定するステップと、
有効な２次装置が存在しないという決定に応じて前記１次ユニットに供給される電力を制限するステップとを有する、方法。
【請求項３】
有効な２次装置が存在するという決定に応じて前記有効な２次装置が電力を要求するかどうかを決定するステップと、
存在する有効な２次装置のいずれもが電力を要求しないという決定に応じて前記１次ユニットに供給される電力を制限するステップとをさらに有する、請求項１または２に記載の１次ユニット内の電力消費を低減するための方法。
【請求項４】
前記検知するステップは前記電力パルスより少ない量の電力を使用する、請求項１または２に記載の１次ユニット内の電力消費を低減するための方法。
【請求項５】
前記電力パルスは通信信号を含む、請求項１または２に記載の１次ユニット内の電力消費を低減するための方法。
【請求項６】
前記電力パルスは２次装置からの通信を可能にするのに十分である、請求項１または２に記載の１次ユニット内の電力消費を低減するための方法。
【請求項７】
前記２次装置から前記２次装置の状態を示す通信を受信するステップを有し、
有効な２次装置が存在するかどうかを前記決定するステップは少なくとも一部が前記２次装置の前記状態の機能である、請求項１または２に記載の１次ユニット内の電力消費を低減するための方法。
【請求項８】
物体の存在を前記検知するステップは、前記１次ユニット付近の物体の数の変化と、前記１次ユニット付近の１以上の物体の位置の変化とのうち、少なくとも１つを検知するステップを有する、請求項１または２に記載の１次ユニット内の電力消費を低減するための方法。
【請求項９】
物体の存在を前記検知するステップと電力を前記供給するステップとは異なる電源からの電力を使用する、請求項１に記載の１次ユニット内の電力消費を低減するための方法。
【請求項１０】
前記検知するステップはエネルギー貯蔵素子からの電力を使用し、
有効な２次装置が存在するという決定に応じて、２次装置の電池を充電することと、前記２次装置に電力を直接供給することとのうち、少なくとも１つを行うために前記２次装置に電力を転送するのに十分な電力を前記１次ユニットに供給する、請求項１または２に記載の１次ユニット内の電力消費を低減するための方法。
【請求項１１】
前記検知することはエネルギー貯蔵素子からの電力を使用し、
有効な２次装置が存在するという決定に応じて前記エネルギー貯蔵素子を再充電すると共に、２次装置の電池を充電することと、前記２次装置に電力を直接供給することとのうち、少なくとも１つを行うために前記２次装置に電力を転送するのに十分な電力を前記１次ユニットに供給する、請求項１または２に記載の１次ユニット内の電力消費を低減するための方法。
【請求項１２】
前記検知するステップは、物体の存在を示す磁場の変化を検知するステップと、電気容量の変化を検知するステップと、質量の変化を検知するステップと、物体の存在を示す運動の変化を検知するステップと、物体の存在を示す圧力の変化を検知するステップと、物体の存在を示す光レベルの変化を検知するステップとのうち、少なくとも１つを有する、請求項１または２に記載の１次ユニット内の電力消費を低減するための方法。
【請求項１３】
有効な２次装置が存在するかどうかの前記決定の機能として、補助ユニットに供給される電力を制御するために前記補助ユニットと通信する、請求項１または２に記載の１次ユニット内の電力消費を低減するための方法。
【請求項１４】
有効な２次装置が存在するという決定に応じて前記１次ユニットに電力を供給して前記有効な２次装置に電力を転送する、請求項２に記載の１次ユニット内の電力消費を低減するための方法。
【請求項１５】
前記１次ユニットに低電力パルスを前記印加するステップは前記２次装置がその回路に前記１次ユニットとの通信を可能にするのに十分な電力を供給できないような十分に小さな磁場を生成する、請求項２に記載の１次ユニット内の電力消費を低減するための方法。
【請求項１６】
前記低電力パルスと前記より高レベルの電力とは異なる電源を使用する、請求項２に記載の１次ユニット内の電力消費を低減するための方法。
【請求項１７】
前記低電力パルスはエネルギー貯蔵素子からの電力を使用し、
有効な２次装置が存在するという決定に応じて、２次装置の電池を充電することと、前記２次装置に電力を直接供給することとのうち、少なくとも１つを行うために前記２次装置に電力を転送するのに十分な電力を前記１次ユニットに供給する、請求項２に記載の１次ユニット内の電力消費を低減するための方法。
【請求項１８】
前記低電力パルスはエネルギー貯蔵素子からの電力を使用し、
有効な２次装置が存在するという決定に応じて、前記エネルギー貯蔵素子を再充電すると共に、２次装置の電池を充電することと、前記２次装置に電力を直接供給することとのうち、少なくとも１つを行うために前記２次装置に電力を転送するのに十分な電力を前記１次ユニットに供給する、請求項２に記載の１次ユニット内の電力消費を低減するための方法。
【請求項１９】
有効な２次装置が存在するかどうかの前記決定の機能として、補助ユニットに供給される電力を制御するために前記補助ユニットと通信する、請求項２に記載の１次ユニット内の電力消費を低減するための方法。
【請求項２０】
１次ユニットから分離可能な２次装置に電力を転送できる前記１次ユニットであって、
電力供給モードの間に電力を供給するための第１の電力入力と、
検知モードの間に電力を供給するための第２の電力入力であって、前記第１の電力入力より少ない電力を供給する、第２の電力入力と、
２次装置に電力を転送可能な１次副回路と、
前記１次副回路に前記第１の電力入力を選択的に結合するように動作可能なスイッチと、
前記１次ユニット付近で物体の存在を検知するためのセンス回路であって、前記第２の電力入力により電力を供給され、前記スイッチを操作して前記検知モードの間に前記第１の電力入力から前記１次副回路を分離し、前記１次ユニットは前記検知モードの間に前記電力供給モードの間よりも少ない電力を消費する、センス回路とを備える、１次ユニット。
【請求項２１】
１次ユニットから分離可能な２次装置に電力を転送できる前記１次ユニットであって、
電力供給モードの間に２次装置に電力を無線で転送するための電力供給回路と、
検知モードの間に前記１次ユニット付近で物体の存在を検知するための検知回路と、
識別モードの間に検知された物体が有効な２次装置であるかどうかを識別するための識別ユニットと、
電力の供給に前記電力供給回路を選択的に結合及び分離するように動作可能なスイッチと、
前記１次ユニットを前記検知モードと、前記識別モードと、前記電力供給モードとで交互に操作するようにプログラムされた前記１次ユニット内にある制御回路であって、前記スイッチを操作して前記検知モードの間に電力の前記供給から前記電力供給回路を分離し、前記１次ユニットは前記検知モードの間に前記電力供給モードの間よりも少ない電力を消費する、制御回路とを備える、１次ユニット。
【請求項２２】
前記センス回路は、
インピーダンス素子と、
前記インピーダンス素子に結合され、前記第２の電力入力を交流電力に変換する発振器と、
前記インピーダンス素子を横切ってピーク電圧を検知するためのピーク検知器と、
定期的に前記ピーク検知器の値を読み取り、インピーダンスの変化を検知し、前記スイッチを作動させて前記１次副回路に前記第１の電力入力を選択的に結合するようにプログラムされたマイクロプロセッサとを備える、請求項２０または２１に記載の１次ユニット。
【請求項２３】
前記センス回路は、
前記１次副回路内にある１次コイルに選択的に結合された発振回路と、
前記発振回路の周波数を測定するようにプログラムされたマイクロプロセッサとを備える、請求項２０または２１に記載の１次ユニット。
【請求項２４】
ピーク検知測定の間に前記第２の電力入力に前記ピーク検知器と前記発振器とを選択的に結合するためのスイッチをさらに備える、請求項２０または２１に記載の１次ユニット。
【請求項２５】
前記インピーダンス素子は２次装置に電力を転送するための前記副回路内にある１次コイルを備え、
前記センス回路はピーク検知測定の間に前記センス回路に前記１次コイルを選択的に結合するためのスイッチを備える、請求項２０または２１に記載の１次ユニット。
【請求項２６】
前記センス回路はマイクロプロセッサがセンス回路測定の間にだけウェイクアップするのを可能にする監視タイマーを備える前記マイクロプロセッサを備える、請求項２０または２１に記載の１次ユニット。
【請求項２７】
前記センス回路は、ホールセンサーと、リードスイッチと、運動センサーと、スイッチと、電気容量センサーと、質量センサーと、圧力センサーと、光センサーとのうち、少なくとも１つを備える、請求項２０または２１に記載の１次ユニット。
【請求項２８】
前記２次装置から前記２次装置の状態を示す通信を受信するための受信機を備え、
識別ユニットは前記２次装置が有効であるかどうかを少なくとも一部が前記２次装置の前記状態の機能として決定する、請求項２０に記載の１次ユニット。
【請求項２９】
前記１次副回路は識別ユニットを備え、
前記１次副回路への前記第１の電力入力の前記結合に応じて前記識別ユニットは有効な２次装置が１次ユニット付近に存在するかどうかを識別するようにプログラムされ、
有効な２次装置が存在しないという決定に応じて前記スイッチを操作して前記第１の電力入力から前記１次副回路を切断することにより前記１次副回路への電力は制限される、請求項２０に記載の１次ユニット。
【請求項３０】
前記１次副回路は識別ユニットを備え、
前記１次副回路への前記第１の電力入力の前記結合に応じて前記識別ユニットは前記２次装置が電力を要求するかどうかを識別するようにプログラムされ、
２次装置のいずれもが電力を要求しないという決定に応じて前記スイッチを操作して前記第１の電力入力から前記１次副回路を切断することにより前記１次副回路への電力は制限される、請求項２０に記載の１次ユニット。
【請求項３１】
前記第２の電力入力はエネルギー貯蔵素子を備え、
前記第１の電力入力が前記１次副回路に結合される間に前記エネルギー貯蔵素子は再充電される、請求項２０に記載の１次ユニット。
【請求項３２】
前記第２の電力入力はエネルギー貯蔵素子を備える、請求項２０に記載の１次ユニット。
【請求項３３】
前記センス回路はスイッチを制御して補助ユニットに前記第１の電力入力を選択的に結合するように動作可能にプログラムされる、請求項２０に記載の１次ユニット。
【請求項３４】
前記識別ユニットは前記識別モードの間に前記検知された有効な２次装置が電力を要求するかどうかを決定する、請求項２１に記載の１次ユニット。
【請求項３５】
前記検知モードが、
前記スイッチを開くことにより前記電力供給回路への電力の前記供給を制限することと、
前記１次ユニット付近で物体の存在を検知することと、
前記１次ユニット付近で物体の存在を検知した場合に異なるモードに入ることとを含み、
前記電力供給モードが、
前記スイッチを閉じることにより前記１次ユニットに電力を供給することと、
付近に２次装置があるかどうかを識別することと、
前記識別に基づいて第２のモードのままであるまたは第１のモードに入ることとを含む、請求項２１に記載の１次ユニット。
【請求項３６】
前記２次装置から前記２次装置の状態を示す通信を受信するための受信機を備え、
前記１次ユニットは前記２次装置が有効であるかどうかを少なくとも一部が前記２次装置の前記状態の機能として決定する識別回路を備える、請求項２１に記載の１次ユニット。
【請求項３７】
前記１次ユニットは識別ユニットを備え、
前記１次ユニット付近で物体の存在を検知する前記検知回路に応じて前記識別ユニットは前記１次ユニット付近に有効な２次装置が存在するかどうかを識別するようにプログラムされ、
有効な２次装置を識別しなかったことに応じて前記制御回路は前記スイッチを操作して電力の前記供給から前記電力供給回路を分離する、請求項２１に記載の１次ユニット。
【請求項３８】
前記１次ユニットは電力供給モードの間に電源から電力を取得し、検知モードの間に２次電源から電力を取得する、請求項２１に記載の１次ユニット。
【請求項３９】
１次ユニットから分離可能な２次装置に電力を転送できる前記１次ユニット内の電力消費を低減するための方法であって、
検知モードと、識別モードと、電力供給モードとで選択的に動作可能な１次ユニットを供給するステップと、
前記検知モードの間に前記１次ユニット付近で物体の存在を検知するステップであって、前記検知モードが、
前記１次ユニットの少なくとも一部への電力の供給を制限することと、
前記１次ユニット付近で物体の存在を検知することと、
前記検知することに基づいて前記検知モードのままであるまたは前記識別モードに入ることとを含む、ステップと、
前記識別モードの間に前記物体を識別するステップであって、前記識別モードが、
前記検知された物体が有効な２次装置であるかどうかを識別することと、
有効な２次装置を識別した場合に前記電力供給モードに入ることと、
有効な２次装置を識別しなかった場合に前記検知モードに入ることとを含む、ステップと、
前記電力供給モードの間に前記２次装置に無線で電力を供給するステップであって、前記電力供給モードが前記１次ユニットに前記検知モードの間より高レベルの、前記１次ユニットが無線電力供給装置として機能するのに十分な電力を供給することを含む、ステップとを有する、方法。
【請求項４０】
前記識別モードが前記２次装置から前記２次装置の状態を示す通信を受信することを含み、
前記検知された物体が有効な２次装置であるかどうかを前記識別することは少なくとも一部が前記２次装置の前記状態の機能である、請求項３９に記載の前記１次ユニット内の電力消費を低減するための方法。
【請求項４１】
物体の存在を前記検知するステップは、前記１次ユニット付近の物体の数の変化と、前記１次ユニット付近の１以上の物体の位置の変化とのうち、少なくとも１つを検知するステップを有する、請求項３９に記載の１次ユニット内の電力消費を低減するための方法。
【請求項４２】
前記１次ユニットは前記検知モード及び前記電力供給モードの間に異なる電源からの電力を使用する、請求項３９に記載の１次ユニット内の電力消費を低減するための方法。
【請求項４３】
前記検知モード電力の間に前記１次ユニットはエネルギー貯蔵素子からの電力を使用し、
前記電力供給モードが前記エネルギー貯蔵素子を再充電することを含む、請求項３９に記載の１次ユニット内の電力消費を低減するための方法。
【請求項４４】
前記検知モード電力の間に前記１次ユニットはエネルギー貯蔵素子からの電力を使用する、請求項３９に記載の１次ユニット内の電力消費を低減するための方法。
【請求項４５】
前記検知するステップは、物体の存在を示す磁場の変化を検知するステップと、電気容量の変化を検知するステップと、質量の変化を検知するステップと、物体の存在を示す運動の変化を検知するステップと、物体の存在を示す圧力の変化を検知するステップと、物体の存在を示す光レベルの変化を検知するステップとのうち、少なくとも１つを有する、請求項３９に記載の１次ユニット内の電力消費を低減するための方法。